(57)【要約】【課題】  学校や企業などの組織内の人員の出欠確認と、不正行為を防止することができる出欠管理システムに関する。【解決手段】  バイオ情報読取装置１０１は学生の指紋などを読み取ってバイオ情報を作成して送信し、バイオ認証コンピュータ２１０はこれを受信してバイオ情報ＤＢ２１３中のバイオ情報と比較し、これに対応する学生ＩＤを読み取って出欠管理コンピュータへ送信する。出欠管理コンピュータは学生ＩＤを受信して出欠管理ＤＢ２２２中の「学生ＩＤ」と比較し、これに対応する「出欠」を出席に設定する。無線タグリーダ１０３は無線タグ１０２から送られた学生ＩＤを受信し、出欠管理コンピュータ２２０はこの学生ＩＤを無線タグリーダ１０３から取得してこれを基に途中退室した学生を検知し、ＩＤ出欠管理ＤＢ２２２中の「退席開始時刻」を設定する。出欠情報表示用コンピュータ１１０は、出欠情報コンピュータへ出欠情報を入力し、表示する。【選択図】  図１
2005208995.tif 000002
【特許請求の範囲】
【請求項１】
利用者の生体的な情報を読み取り、個々の人間に固有の生体的な情報から生成されるバイオ情報を作成して出力するバイオ情報読み取り手段と、
前記バイオ情報読み取り手段から前記バイオ情報を入力し、バイオ情報と、対応する利用者の識別情報とを格納するバイオ情報データベース中に、前記バイオ情報読み取り手段から入力した前記バイオ情報と一致するものが見つかった場合には、対応する前記識別情報を出力するバイオ認証処理手段と、
前記識別情報を前記バイオ認証処理手段から入力し、利用者の識別情報と、出席あるいは欠席を表す出欠情報とを格納する出欠管理データベース中の前記バイオ認証処理手段から入力した前記識別情報に対応する前記出欠情報を出席として設定する出欠管理手段とを備える
ことを特徴とする出欠管理システム。
【請求項２】
利用者の生体的な情報を読み取り、個々の人間に固有の生体的な情報から生成されるバイオ情報を作成して出力するバイオ情報読み取り手段と、
前記バイオ情報読み取り手段から前記バイオ情報を入力し、利用者のバイオ情報と、対応する識別情報とを格納するバイオ情報データベース中に、前記バイオ情報読み取り手段から入力した前記バイオ情報と一致するものが見つかった場合には、対応する前記識別情報を出力するバイオ認証処理手段と、
前記識別情報を前記バイオ認証処理手段から入力し、利用者の識別情報と、出席あるいは欠席を表す出欠情報と、在席時間とを格納する出欠管理データベース中の前記バイオ認証処理手段から入力した前記識別情報に対応する前記出欠情報を出席として設定する出欠管理手段と、
前記利用者が所持する識別情報発信手段であって、前記利用者の識別情報を送信する、識別情報発信手段と、
前記識別情報発信手段から前記識別情報を受信し、前記利用者の退席と、出席とを検知してその時刻から退席状態が続いた時間の長さを計算し、前記出欠管理データベース中の前記識別情報に対応する前記在席時間を更新する退席時間チェック手段とを備える
ことを特徴とする出欠管理システム。
【請求項３】
前記退席時間チェック手段は、所定の一定時間間隔で処理を行う、ことを特徴とする請求項２に記載の出欠管理システム。
【発明の詳細な説明】
【技術分野】
【０００１】
本発明は、学校や企業などの組織における人員の出欠確認のための出欠管理システムに関するものである。
【背景技術】
【０００２】
従来の技術としては、特許文献１に示されるように、例えば学校で学生が教室に入る際に認証用のＩＣカードをＩＣカードリーダ・ライタに挿入することによって出欠情報を端末装置から入力し、この出欠情報をコンピュータへ転送して出欠管理を行う方法が知られている。しかし、この方法では学生が欠席者に依頼されてＩＣカードを不正にＩＣカードリーダ・ライタに挿入する不正行為を防止することが困難である。また、授業中の途中退出やＩＣカードをＩＣカードリーダ・ライタに挿入して授業を受けずに帰るといった不正行為を防止することも困難である。
あるいは、従来の技術としては特許文献２では、例えば、学校で学生が認証用のＩＣカードをＩＣカードリモコンホルダへ挿入し、スイッチを入れると、ＩＣカードリモコンホルダが信号を送信し、教壇などに設置された受信装置が信号を受信してコンピュータへ出欠情報を送信し、コンピュータがこの信号を受信して出欠管理を行うものである。しかし、この方法では学生が欠席者に依頼されてＩＣカードを不正にＩＣカードリモコンホルダへ挿入して、欠席者の学生ＩＤ情報を送信する不正行為を防止することが困難である。
【特許文献１】特開平６−８３８４３号公報
【特許文献２】特開２００２−１４０６６８号公報
【発明の開示】
【発明が解決しようとする課題】
【０００３】
本発明は上記の事情を考慮してなされたもので、その目的は、学校や企業などの組織における人員の出欠確認と、不正行為の防止とを行う出欠管理システムを提供することにある。
【課題を解決するための手段】
【０００４】
この発明は前述の課題を解決するためになされたもので、請求項１の発明は、利用者の生体的な情報を読み取り、個々の人間に固有の生体的な情報から生成されるバイオ情報を作成して出力するバイオ情報読み取り手段と、前記バイオ情報読み取り手段から前記バイオ情報を入力し、バイオ情報と、対応する利用者の識別情報とを格納するバイオ情報データベース中に、前記バイオ情報読み取り手段から入力した前記バイオ情報と一致するものが見つかった場合には、対応する前記識別情報を出力するバイオ認証処理手段と、前記識別情報を前記バイオ認証処理手段から入力し、利用者の識別情報と、出席あるいは欠席を表す出欠情報とを格納する出欠管理データベース中の前記バイオ認証処理手段から入力した前記識別情報に対応する前記出欠情報を出席として設定する出欠管理手段とを備えることを特徴とする出欠管理システムである。
【０００５】
請求項２に記載の発明は、利用者の生体的な情報を読み取り、個々の人間に固有の生体的な情報から生成されるバイオ情報を作成して出力するバイオ情報読み取り手段と、前記バイオ情報読み取り手段から前記バイオ情報を入力し、利用者のバイオ情報と、対応する識別情報とを格納するバイオ情報データベース中に、前記バイオ情報読み取り手段から入力した前記バイオ情報と一致するものが見つかった場合には、対応する前記識別情報を出力するバイオ認証処理手段と、前記識別情報を前記バイオ認証処理手段から入力し、利用者の識別情報と、出席あるいは欠席を表す出欠情報と、在席時間とを格納する出欠管理データベース中の前記バイオ認証処理手段から入力した前記識別情報に対応する前記出欠情報を出席として設定する出欠管理手段と、前記利用者が所持する識別情報発信手段であって、前記利用者の識別情報を送信する、識別情報発信手段と、前記識別情報発信手段から前記識別情報を受信し、前記利用者の退席と、出席とを検知してその時刻から退席状態が続いた時間の長さを計算し、前記出欠管理データベース中の前記識別情報に対応する前記在席時間を更新する退席時間チェック手段とを備えることを特徴とする出欠管理システムである。
【０００６】
請求項３に記載の発明は請求項２に記載の出欠管理システムであって、前記退席時間チェック手段は、所定の一定時間間隔で処理を行う、ことを特徴とするものである。
【発明の効果】
【０００７】
請求項１の発明によれば、バイオ情報を出欠確認のベースとすることで、代理者による出席確認の返答などの不正行為を防止することができる効果がある。
【０００８】
また、請求項２と請求項３の発明によれば、タグ部が送信する識別情報によって在席確認を行うことで、途中退室した時刻や途中退室していた時間の長さを取得できる効果がある。これにより、学校などでは学生の授業中の途中退室を抑止できる効果もある。
【発明を実施するための最良の形態】
【０００９】
図１は本実施の形態のシステムの構成を表すブロック図である。図１の教室１００ａと、教室１００ｂと、教室１００ｃとは、学校の教室である。情報管理センタ２００は、出欠管理コンピュータ２２０と、バイオ認証コンピュータ２１０とを配置した管理室である。
【００１０】
ここで、教室１００ａについては図２を参照して説明する。
図２において、バイオ情報読み取り装置１０１はデータの送受信機能を備える指紋の読み取り装置である。バイオ情報読み取り装置１０１は学生の指紋を読み取り、学生の認証のために指紋に関する情報を含むバイオ情報を作成し、ネットワークを経由してバイオ認証コンピュータ２１０（図１）へ送信する。
【００１１】
無線タグ１０２はタグ識別番号を内部の記憶領域に格納する無線タグである。タグ識別番号は無線タグ毎に異なり、各々の学生は無線タグを１個携帯する。本実施の形態では、このタグ識別情報を、個々の学生を識別するための情報である学生ＩＤとして使用する。無線タグ１０２は学生個々に予め配布され、学生はこれを携帯して教室１００ａへ入室し、無線タグ１０２は、学生ＩＤを無線タグリーダ１０３へ送信する。
無線タグリーダ１０３はデータの送受信機能を備えた無線タグの読み取り装置である。無線タグリーダ１０３は、無線タグ１０２から学生ＩＤを受信する。机１０４は教室１００ａ内の机である。
【００１２】
以下、他の構成要素について、図１を参照して説明する。教室１００ａの出欠情報表示用コンピュータ１１０は、学生の出欠情報の表示を行うコンピュータである。制御部１１２は出欠情報の出力要求を入力部１１１から受け取り、出欠管理コンピュータへ出欠情報を要求して、表示部１１３へ出力する制御装置である。入力部１１１は、教官などから学生の出欠情報の出力要求を受け付けて制御部１１２へ出力するためのキーボードやマウスなどである。表示部１１３は、出欠情報を制御部１１２から受け取って表示するディスプレイ装置である。
【００１３】
出欠管理コンピュータ２２０は、学生の出欠管理を行うコンピュータである。
制御部２２１は、時計機能と、データの送受信機能とを備えた制御装置である。制御部２２１は、所定の時間間隔で無線タグリーダ１０３からネットワークを経由して学生ＩＤを取得し、学生の退席時間を計算し、計算結果を出欠管理ＤＢ２２２へ書き込む。
ここで、出欠管理ＤＢ２２２は「学生ＩＤ」と、「出欠」と、「在席状況」と、学生が途中退室した時刻を表す「退席開始時刻」と、学生が途中退室して不在となっていた時間の長さを表す「退席時間」とを日付ごとに格納するデータベースであり、ディスク装置に記録されている。出欠管理ＤＢ２２２の「出欠」には、初期値として"欠席"があらかじめ設定されている。また、学生が授業を受けた場合には、「出欠」を"出席"として表す。
【００１４】
さらに、制御部２２１は、出欠情報表示用コンピュータ１１０からネットワークを経由して出欠情報要求を受信し、出欠管理ＤＢ２２２から「学生ＩＤ」と、日付ごとの「出欠」と、「退席時間」とを読み取り、ネットワークを経由して出欠情報表示用コンピュータ１１０へ送信する。さらに、制御部２２１は入力部２２３から出欠情報要求を受け取り、出欠管理ＤＢ２２２から「学生ＩＤ」と、日付ごとの「出欠」と、「退席時間」とを読み取り、表示部２２４へ出力する。または、制御部２２１は入力部２２３から出欠情報印刷要求を受け取り、出欠管理ＤＢ２２２から「学生ＩＤ」と、日付ごとの「出欠」と、「退席時間」とを読み取り、印刷ＩＦ部２２５へ出力する。
【００１５】
入力部２２３は、教官などから学生の出欠情報の出力要求を受け付けるキーボードやマウスなどであり、教官などから指示を受けて制御部２２１へ出欠情報要求を出力する。表示部２２４は制御部２２１から出欠情報を受け取って表示するディスプレイ装置である。印刷ＩＦ部２２５は、出欠情報を制御部２２１から受け取って印刷するプリンタ装置とのインタフェースである。
【００１６】
バイオ認証コンピュータ２１０は学生の指紋の情報を含むバイオ情報を受け取り、指紋の照合を行い、照合結果を、ネットワークを経由して出欠管理コンピュータ２２０へ送信するコンピュータである。
バイオ情報ＤＢ２１３は、バイオ情報と、バイオ情報に対応する学生の学生ＩＤとを格納するデータベースである。
制御部２１１はデータの送受信機能を備えた制御装置であり、バイオ情報読み取り装置１０１からネットワークを経由してバイオ情報を受信し、バイオ情報の認証処理の要求をバイオ認証処理部２１２へ渡す。また、バイオ情報の認証処理の結果をバイオ認証処理部２１２から受け取り、ネットワークを経由して出欠管理コンピュータ２２０へ送信する。
【００１７】
バイオ認証処理部２１２はバイオ情報の認証装置である。制御部２１１からバイオ情報を受け取り、バイオ情報ＤＢ２１３から登録済みのバイオ情報と、学生ＩＤとを読み取り、学生のバイオ情報に一致するバイオ情報が含まれているか否かをチェックし、一致するバイオ情報が見つかった場合にはチェックの結果として対応する学生ＩＤを出力し、一致するバイオ情報が見つからなかった場合にはチェックの結果として“該当なし”を制御部２１１へ出力する。
【００１８】
以下、図を参照して本実施形態における学生の教室への入室時の認証処理と、授業中の在席確認処理と、出欠情報の表示処理とを説明する。
＜入室時の認証処理＞
図２において、学生は教室への入室時、入り口のバイオ情報読み取り装置１０１に手を置き、指紋の読み取りと認証を指示する。バイオ情報読み取り装置１０１は学生の指示を受け、学生の指紋を読み取り、学生の指紋に関する情報を含む学生のバイオ情報を作成し、ネットワークを経由してバイオ認証コンピュータ２１０へ送信する。
【００１９】
バイオ認証コンピュータ２１０の制御部２１１は、バイオ情報読み取り装置１０１からネットワークを経由して学生のバイオ情報を受信し、バイオ認証処理部２１２へ渡す。
バイオ認証処理部２１２は制御部２１１からバイオ情報を受け取り、バイオ情報ＤＢ２１３に格納されているバイオ情報の中に一致するものが存在するか否かを確認する。学生のバイオ情報に一致するバイオ情報が存在する場合には、バイオ認証処理部２１２は正規の学生が認証を要求しているものと判断し、対応する学生ＩＤを制御部２１１へ渡す。
あるいは、学生のバイオ情報に一致するバイオ情報が存在しない場合には、バイオ認証処理部２１２は“該当なし”を制御部２１１へ渡す。
【００２０】
制御部２１１はバイオ認証処理部２１２からデータを受け取り、“該当なし”以外、即ち、学生ＩＤであれば、学生が授業に出席したことを記録するため、出欠管理コンピュータ２２０の制御部２２１へ学生ＩＤを、ネットワークを経由して送信する。しかし、“該当なし”の場合には、学生に認証の再実行を促すため、“該当なし”を教室１００ａのバイオ情報読み取り装置１０１へネットワークを経由して送信する。
ここで、学生のバイオ情報に一致するバイオ情報が存在しない場合には、バイオ情報読み取り装置１０１は“該当なし”をバイオ認証コンピュータ２１０の制御部２１１から受信し、学生に認証の再実行を要求する。
【００２１】
次に、学生のバイオ情報に一致するバイオ情報が存在する場合には、出欠管理コンピュータ２２０の制御部２２１は、学生ＩＤをネットワークを経由してバイオ認証コンピュータ２１０の制御部２１１から受信し、出欠管理ＤＢ２２２中の学生ＩＤに該当する当日の「出欠」を“出席”に設定する。続いて、制御部２２１は“チェック完了”を教室１００ａのバイオ情報読み取り装置１０１へネットワークを経由して送信する。教室１００ａのバイオ情報読み取り装置１０１は出欠管理コンピュータ２２０の制御部２２１から“チェック完了”を受信して学生に認証完了を通知する。
【００２２】
＜授業中の在席確認処理＞
図１において、授業を受けている学生の無線タグ１０２は、当該学生の学生ＩＤを記憶領域から読み取って無線タグリーダ１０３へ送信する。無線タグリーダ１０３は無線タグ１０２から学生ＩＤを受信する。
出欠管理コンピュータ２２０の制御部２２１は、所定の時間間隔でネットワークを経由して教室ａの無線タグリーダ１０３へアクセスする。
【００２３】
制御部２２１は無線タグリーダ１０３から学生ＩＤを取得する。取得したデータをもとに、制御部２２１は、途中退室していた学生が再入室したケースの検知と、途中退室した学生の検知とを行う。まず、制御部２２１は途中退室していた学生が再入室したケースの検知を試みる。制御部２２１は出欠管理ＤＢ２２２中の当日の「出欠」が“出席”であり、かつ、「在席状況」が”退室中”に該当する「学生ＩＤ」をすべて読み取り、無線タグリーダ１０３から受信した学生ＩＤと比較する。比較の結果、学生ＩＤが一致した場合には、当該学生は再入室してきたものであることが分かる。再入室してきた学生が検知された場合には、制御部２２１は現在の時刻から「退席開始時刻」を差し引いて当該学生が退席していた時間を得て、「退席時間」に設定する。複数回退室と再入室を繰り返した学生に関しては、「退席時間」を累積加算する。また、再入室してきた学生の「退席開始時刻」を初期状態に設定する。
【００２４】
次に、制御部２２１は途中退室した学生の検知を試みる。制御部２２１は出欠管理ＤＢ２２２中の当日の「出欠」が“出席”となっているすべての学生の「在席状況」を”退室中”に設定する。次に、制御部２２１は出欠管理ＤＢ２２２中の「学生ＩＤ」と、無線タグリーダ１０３から受信した学生ＩＤとを比較し、一致した「学生ＩＤ」に対応する「在席状況」を“在席中”に設定する。
この処理を無線タグリーダ１０３から受信したすべての学生ＩＤに関して行う。この処理により、途中退室した学生が判明する。
次に、途中退室した直後の学生を検知するため、制御部２２１は出欠管理ＤＢ２２２中の当日の「出欠」が“出席”であり、かつ、「在席状況」が“退席”であり、さらに、「退席時刻」が初期状態のものに対して、「退席時刻」に現在の時刻を設定する。
【００２５】
この後、制御部２２１は、所定の時間間隔で教室１００ａの無線タグリーダ１０３へのアクセスと、再入室者の検知と、退室者の検知とを繰り返して行う。さらに、授業が終了すると、制御部２２１は退室後に授業の終了まで再入室しなかった学生の検知を試みる。制御部２２１は出欠管理ＤＢ２２２中の当日の「出欠」が“出席”であり、かつ、「在席状況」が”退室中”に該当するものの「退席時間」に、現在の時刻から「退席開始時刻」を差し引いた時間を加算して設定する。
ここまでで、教室１００ａでの１時限の授業における授業中の在席確認処理が完了する。
【００２６】
＜出欠情報の表示処理＞
教官などは、教室１００ａあるいは、情報管理センタ２００において学生の授業への出席状況を確認することができる。
まず、教室１００ａで学生の授業への出席状況を確認する場合、教官は出欠情報表示用コンピュータ１１０の入力部１１１に、学生の出欠情報の表示を指示する。入力部１１１は教官の指示を受け、制御部１１２へ出欠情報表示要求を送る。制御部１１２は入力部１１１から出欠情報表示要求を受け取り、ネットワークを経由して出欠情報の要求を出欠管理コンピュータ２２０へ送信する。
【００２７】
出欠管理コンピュータ２２０の制御部２２１は出欠情報表示用コンピュータ１１０の制御部１１２から出欠情報の要求を受信し、出欠管理ＤＢ２２２からデータを読み取り、出欠情報表示用コンピュータ１１０へ送信する。
出欠情報表示用コンピュータ１１０の制御部１１２は、出欠管理コンピュータ２２０の制御部２２１からデータを受信し、表示部１１３へ出力する。表示部１１３はデータを制御部１１２から受け取り、表示する。
【００２８】
また、情報管理センタ２００で学生の授業への出席状況を確認する場合、教官は出欠管理コンピュータ２２０の入力部２２３へ、学生の出欠情報の表示を指示する。入力部２２３は教官の指示を受け、制御部２２１へ出欠情報の表示要求を送る。制御部２２１は、入力部２２３から出欠情報の表示要求を受け取り、出欠管理ＤＢ２２２からデータを読み取り、表示部２２４へ出力する。表示部２２４はデータを制御部２２１から受け取り、表示する。
さらに、教官が学生の授業への出席状況の印刷を入力部２２３へ指示した場合、入力部２２３は教官の指示を受け、制御部２２１へ出欠情報印刷要求を送る。制御部２２１は、入力部２２３から出欠情報印刷要求を入力し、出欠管理ＤＢ２２２からデータを読み取り、印刷ＩＦ部２２５へ渡す。印刷ＩＦ部２２５はデータを制御部２２１から受け取り、印刷する。
【００２９】
以上、図面を参照して本発明の実施形態について詳述してきたが、具体的な構成はこれらの実施の形態に限られるものではなく、この発明の要旨を逸脱しない範囲の設計変更等も含まれる。
例えば、無線タグリーダは１個とは限らず、室内に複数個を配置してもよい。
また、本実施の形態では学校の例を挙げたが、ほかにも講演会や各種試験での出欠管理、あるいは、企業や官公庁などでの出退勤管理、あるいは、乗り物の搭乗管理にも適用ができる。また、映画やコンサート、あるいは、観覧施設や遊戯施設、あるいは娯楽施設などでの入場管理への適用もできる。
【００３０】
無線タグ１０２に学生の入室時刻を格納させて利用する方法もある。つまり、本実施の形態において、教室１００ａの入り口に無線タグライタをさらに備え、学生が入室する際、バイオ情報の認証が完了したときにバイオ情報読み取り装置１０１が日時の書き込み要求を無線タグライタへ送り、これを受けて無線タグライタが入室日時を無線タグ１０２に書き込む。そして、授業中に、無線タグ１０２は学生ＩＤとともに入室日時を送信する。出欠管理コンピュータ２２０は無線タグリーダ１０３と、ネットワークとを介してデータを受信し、入室日時が授業開始時刻付近から授業終了時刻付近であれば、出席と判断し、出欠管理ＤＢ２２２中の当該学生ＩＤに対応するデータの「出欠」を出席に設定する。
【００３１】
また、バイオ認証コンピュータ２１０はバイオ情報を数値化してバイオメトリクス情報を作成し、これを利用して遅刻した学生の対処を行う方法もある。つまり、本実施の形態において、教室１００ａの入り口に無線タグライタをさらに備え、学生の教室１００ａへの入室時のバイオ認証コンピュータ２１０での認証の際にバイオ情報をもとにバイオ認証コンピュータ２１０がバイオメトリクス情報を作成し、ネットワークを介して無線タグライタへ送信し、無線タグライタが学生の無線タグ１０２に書き込む。さらに、授業中に、無線タグ１０２はバイオメトリクス情報を学生ＩＤと一緒に出欠管理コンピュータ２２０へ送信し、出欠管理ＤＢ２２２中の当該学生ＩＤに対応する「出欠」が欠席であっても、バイオ認証コンピュータへ再度認証を要求し、認証結果を受け取って出席か否かを判断し、判断結果を当該学生ＩＤに対応する「出欠」に設定する。
【００３２】
また、バイオ情報読み取り装置１０１をポータブルな装置とし、授業中に回覧してバイオ情報の認証をやり直してもよい。途中退室の防止には効果がある。
また、教室入口でのバイオ認証を入室時だけでなく、退室時にも行うことにより、途中退室を行いにくくすることも可能である。
また、本実施の形態を企業や官公庁などの組織でも適用し、さらに、バイオ認証処理部２１２の認証結果をパーソナルコンピュータのロックの解除や、ネットワークに接続されたほかのコンピュータへのアクセスの許可などに適用してもよい。
また、バイオ情報は指紋以外にも虹彩、顔、声紋などを基にして作成する方法でもよい。
【図面の簡単な説明】
【００３３】
【図１】本発明の実施の形態による出欠管理システムのブロック図である。
【図２】本発明の実施の形態による出欠管理システムの教室の見取り図である。
【符号の説明】
【００３４】
１００ａ、１００ｂ、１００ｃ…教室
１０１…バイオ情報読み取り装置
１０２…無線タグ
１０３…無線タグリーダ
１０４…机
１１０…出欠情報表示用コンピュータ
１１１、２２３…入力部
１１２…制御部
１１３、２２４…表示部
２００…情報管理センタ
２１０…バイオ認証コンピュータ
２１１…制御部
２１２…バイオ認証処理部
２１３、２２２…ＤＢ
２２０…出欠管理コンピュータ
２２１…制御部
２２５…印刷ＩＦ部
【図１】
2005208995.tif 000003
【図２】
2005208995.tif 000004